(57)【要約】  【課題】  光学系の光源ユニットにおけるグレーティングレンズの基台への組み付け、あるいは交換時に、その位置決めが簡単かつ正確に行えるようにする。  【解決手段】  グレーティングレンズ２０の一方の端面の周縁をテーパ面２０ｂとし、そのグレーティングレンズ２０を厚み方向で挟持する挿嵌部１０ａを基台１０に設け、その挿嵌部１０ａに、そのグレーティングレンズ２０を挿嵌することにより、そのグレーティングレンズ２０と、発光ダイオード１と、光の貫通路の三者の光軸が一致するようにする。それとともに、その挿嵌部１０ａに挿嵌したグレーティングレンズ２０を挿嵌方向に押圧するカバー部材３０を基台１０に着脱自在に設け、そのカバー部材３０に、グレーティングレンズ２０の回転調整を行うための調整穴３０ａを設ける。【選択図】      図１
2007042194.tif 000002
【特許請求の範囲】
【請求項１】
円柱状の発光ダイオードと、その発光ダイオードに光軸を一にして隣接配置される円柱
状のグレーティングレンズと、そのグレーティングレンズの隣に、光の貫通路が光軸を一
にして存在するようになった基台とを備えた光ピックアップの光源ユニットにおいて、
前記グレーティングレンズの少なくとも一方の端面の周縁がテーパ面となっており、そ
のグレーティングレンズを厚み方向で挟持する挿嵌部が前記基台に設けられており、その
挿嵌部に、そのグレーティングレンズを挿嵌することにより、そのグレーティングレンズ
と、前記発光ダイオードと、前記光の貫通路の三者の光軸が一致するようになっていると
ともに、その挿嵌部に挿嵌したグレーティングレンズを挿嵌方向に押圧するカバー部材を
前記基台に着脱自在に設け、そのカバー部材に、グレーティングレンズの回転調整を行う
ための調整穴を設けたことを特徴とする光ピックアップのグレーティングレンズの取り付
け構造。
【請求項２】
請求項１に記載のグレーティングレンズの取り付け構造を備えたことを特徴とする光ピ
ックアップ。
【発明の詳細な説明】
【技術分野】
【０００１】
この発明は、ＣＤやＤＶＤなどの光学情報記録媒体（以下、簡単に光ディスクという）
に対し、デジタル情報を記録、再生するための光ピックアップ装置に係り、詳しくは、そ
れに組み込まれるグレーティングレンズの取り付け構造の改良に関する、
【背景技術】
【０００２】
図２（ａ）は、一般的な光ピックアップ装置の光学系の概念的な構成を模式的に示した
ものである。図に示すように、光ピックアップ装置の光学系は、レーザー光を発する円柱
状のＬＥＤ１（発光ダイオード）と、このＬＥＤ１から発せられるレーザー光を回折する
樹脂製で円柱状のグレーティングレンズ２（図２（ｂ）参照）とを有した光源ユニットと
、その光源ユニットのグレーティングレンズ２から出射された回折光を光ディスク３に集
束させるレンズ群とを備えている。
【０００３】
レンズ群は、今述べた光源ユニットから出射されたレーザー光（回折光）を光ディスク
３の記録面に向けて反射させるとともに、その光ディスク３からの反射光を透過させるハ
ーフミラーやプリズムといったビームスプリッタ４と、このビームスプリッタ４からの反
射光を平行光にするコリメータレンズ５と、このコリメータレンズ５からの平行光を光デ
ィスクの記録面に集束させる対物レンズ６と、ビームスプリッタ４を透過した光ディスク
３からの反射光を、センサレンズ７を介して受光する光検出器８とから成る。
【０００４】
以上のような構成の内、光源ユニットのＬＥＤ１とグレーティングレンズ２とは、主と
して、レーザー光の出射方向を安定させる観点から、光ピックアップ本体の一部を構成す
る基台に一体的に組み付けられている。この光源ユニットの従来例の構成について、今一
度、図２を参照して詳細に説明する。図中、その光源ユニットは断面図で示している。
【０００５】
図中、９は光源ユニットのベース部であって、前記したように、光ピックアップの基台
の一部である。このベース部９は円柱状を成しており、その円柱の軸心に沿って段付き円
筒状の収納凹部１１が形成されている。その収納凹部１１の段付き部に当接して、薄型円
柱状のグレーティングレンズ２が収納されている。
【０００６】
このグレーティングレンズ２の外観は図２（ｂ）に示したごとくであり、図では手前側
の端面しか描かれていないが、円柱の両端面にレンズ形状２ａが形成されている。また、
その周面に、収納凹部１１に組み付ける際の、光軸回りの位置調整を行うための調整穴２
ｂが設けられている。
【０００７】
そして、そのグレーティングレンズ２の光軸回りの位置調整を行うための、ベース部９
側の構成として、グレーティングレンズ２を収納凹部１１に組み込んだ際に、その調整穴
２に対応する位置に、ベース部側の調整穴９ａが設けられている。
【０００８】
そのグレーティングレンズ２の図の左隣に、それを図の右側に押圧して、その光軸方向
の位置決めをするグレーティングレンズ２の位置決め部材１２が設けられている。この位
置決め部材１２はフランジ状を成し、内部が段付き形状を成している。
【０００９】
そして、そのグレーティングレンズ２の位置決め部材１２の図の左側に円板状のＬＥＤ
１が設けられており、その光軸はグレーティングレンズ２の光軸と一致している。ＬＥＤ
１は、その一対の端子１ａを光ピックアップのプレート１３を貫通させた形で、そのプレ
ート１３に固定されている。
【００１０】
また、グレーティングレンズ２が収納された収納凹部１１のグレーティングレンズ２の
右隣は、グレーティングレンズ２の端面に形成されたレンズ形状２ａの円より大きな直径
の光の貫通路１４がグレーティングレンズ２と光軸を一にした形で形成されており、この
ベース部９の光の貫通路１４とグレーティングレンズ２と前記発光ダイオード１の三者の
光軸が全て一致するようになっている。
【００１１】
このベース部９の光の貫通路１４が外部に臨む図の右側の開口１４ａから、発光ダイオ
ード１で発光され、グレーティングレンズ２で回折作用を受けた光が前記レンズ群の方へ
向かって出射されるのである。
【００１２】
以上が、光ピックアップに設けられる光源ユニットの一従来例であるが、そのような構
成の光源ユニットにおいて、上記グレーティングレンズ２を基台に取り付ける際、その光
軸方向の位置精度が要求される。その光軸方向の位置決めは、先述したように、光ピック
アップの基台の収納凹部１１において、グレーティングレンズ２とともに、位置決め部材
１２を用いて行っている。
【００１３】
また、下記に示した公知文献（特許文献１）にも、上記の位置決め部材と形態は異なる
が、同じように光ピックアップの基台の一部をなすベース部に設けられたグレーティング
レンズの収納部に、グレーティングレンズとともに、その位置決め部材を発光ダイオード
の間に介在させて、その位置決め部材の弾性力でもって、グレーティングレンズの光軸方
向の位置決めを行う構成が開示されている。
【特許文献１】特開２００４−０２２０３４号公報（第２図）
【発明の開示】
【発明が解決しようとする課題】
【００１４】
従って、上記のような従来例の各構成ではいずれも、グレーティングレンズを最初に組
み込むとき、および、交換時には、その都度、その位置決め部材１２を用いて、光軸方向
の位置調整を行わなければならず、交換時にはその位置決め部材自身や、隣の発光ダイオ
ード１をも取り外さねばならず、非常に煩わしく、困難な作業を強いられていた。
【００１５】
そこで、この本発明は、上記光源ユニットにおけるグレーティングレンズの基台への組
み付け、あるいは交換時に、その位置決めが簡単かつ正確に行えるようにすることを課題
とする。
【課題を解決するための手段】
【００１６】
上記課題を達成するため、本発明は、円柱状の発光ダイオードと、その発光ダイオード
に光軸を一にして隣接配置される円柱状のグレーティングレンズと、そのグレーティング
レンズの隣に、光の貫通路が光軸を一にして存在するようになった基台とを備えた光ピッ
クアップの光源ユニットにおいて、
前記グレーティングレンズの少なくとも一方の端面の周縁がテーパ面となっており、そ
のグレーティングレンズを厚み方向で挟持する挿嵌部が前記基台に設けられていて、その
挿嵌部に、そのグレーティングレンズを挿嵌することにより、そのグレーティングレンズ
と、前記発光ダイオードと、前記光の貫通路の三者の光軸が一致するようになっていると
ともに、その挿嵌部に挿嵌したグレーティングレンズを挿嵌方向に押圧するカバー部材を
前記基台に着脱自在に設け、そのカバー部材に、グレーティングレンズの回転調整を行う
ための調整穴を設けた構成としたのである。
【００１７】
このような構成によれば、先ず、グレーティングレンズを、基台の前記挿嵌部に挿嵌す
ると、そのことによって、グレーティングレンズの厚み方向、すなわち、光軸方向の姿勢
が必然的に決まる。
【００１８】
そして、その状態で、カバー部材を取り付ければ、グレーティングレンズは前記挿嵌部
の底面に押し付けられるので、最終的にその姿勢が固定された状態となる。
【００１９】
なお、光軸回りの回転調整については、カバー部材に設けた前記調整用の穴を通して調
整することができる。
【発明の効果】
【００２０】
本発明は、上記のように構成したので、光軸方向の位置調整において、複雑な操作をす
る必要がなく、グレーティングレンズを基台の挿嵌部に挿嵌するだけで簡単に決めること
ができる。
【００２１】
すなわち、従来のような、その光軸方向の位置調整のための部材を必要としないので、
その部材の部品代、製造コストの削減、および、その部材が無いので、それを組み付ける
必要もなく、組み立て段階での効率化を図ることもできる。
【００２２】
また、グレーティングレンズの交換時には、前記カバーを外して取り出すことができる
ので、グレーティングレンズに隣接して配設されているＬＥＤなどの他の部品をいっしょ
に取り外したりする必要がなく、この面においても、作業の効率化を図ることができる。
【００２３】
さらに、グレーティングレンズの位置決めが、その端面のテーパ面だけで行えるので、
従来例のように、グレーティングレンズをわざと大きく作製して、その寸法の大きな部分
で位置決め時の基準面としていたのとは異なり、そのような必要がなく、グレーティング
レンズの縮小化を図ることができ、それが搭載される装置の小型化にも寄与する。
【発明を実施するための最良の形態】
【００２４】
以下、この発明の実施の形態を、図面を参照して説明する。本発明は、前記背景技術の
項で説明した光学系の内、レンズ群は全く対象としないので、本実施形態では、その部分
の図示と説明は省略し、光源ユニットのみを説明する。また、背景技術の項の要素と同じ
要素については、同じ符号を付してその説明を省略する。図１は、本実施形態の光源ユニ
ットの部分のみを取り出し、かつ、その部分を断面で示したものである。（ａ）は、発明
の主要構成要素たるグレーティングレンズ２０、基台１０、および、その基台１０に取り
付けられるカバー部材３０を示したものである。また、（ｂ）は、それらを組み付けて完
成させた状態を示したものである。さらに、（ｃ）は、本発明におけるグレーティングレ
ンズ２０を斜視図で示したものである。
【００２５】
（ａ）および（ｃ）に示すように、本発明のグレーティングレンズ２０は、先ず、従来
の一般のものと同様、薄型円柱状のものの両端面に、円柱の軸を中心とした円形のレンズ
形状２０ａを有している。そして、本発明のグレーティングレンズ２０として特徴的なの
が、その端面の周縁にテーパ形状２０ｂを設けていることである。本実施形態では、その
テーパ形状２０ｂを円柱の一方の端面にのみ形成しているが、両端面に形成してもよい。
【００２６】
また、周面には、基台に取り付ける際の、光軸回りの回転調整のための調整穴２０ｃが
設けられている。
【００２７】
そして、このグレーティングレンズ２０のテーパ面２０ｂを有した厚み方向の断面形状
が挿嵌可能となった挿嵌部１０ａを基台１０に設けている。すなわち、その挿嵌部１０ａ
にグレーティングレンズ２０を挿嵌させると、グレーティングレンズ２０の光軸方向の位
置が必然的に決まるとともに、そのグレーティングレンズ２０と、従来例で示した図示し
ない発光ダイオード１と、基台の光の貫通路１４の三者の光軸がぴったりと一致するよう
な構成になっている。
【００２８】
さらに、その挿嵌部１０ａに挿嵌したグレーティングレンズ２０を挿嵌方向に押圧する
カバー部材３０を前記基台１０に着脱自在に設け、そのカバー部材３０に、グレーティン
グレンズ２０の回転調整を行うための調整穴３０ａを設けている。
【００２９】
グレーティングレンズ２０を基台１０に取り付けるには、それを基台１０の前記挿嵌部
１０ａに挿嵌するだけである。それだけで、そのグレーティングレンズ２０に設けたテー
パ形状２０ｂと、挿嵌部１０ａによって、グレーティングレンズ２０の厚み方向、すなわ
ち、光軸方向の姿勢が必然的に決まる。
【００３０】
そして、その状態で、カバー部材３０を取り付ける。そうすると、グレーティングレン
ズ２０は前記挿嵌部１０ａの底面に押し付けられるので、最終的にその姿勢が固定された
状態となる。
【００３１】
また、光軸回りの回転調整については、カバー部材３０に設けた前記調整穴３０ａを通
して調整することができる。
【産業上の利用可能性】
【００３２】
この発明は、光ピックアップ装置はもとより、一般の光学部品にも広く適用できる。
【図面の簡単な説明】
【００３３】
【図１】は、本実施形態の光源ユニットを（ａ）にその構成要素に分解して断面図で示し、（ｂ）に（ａ）で示した構成要素同士を組み付けた状態を断面図で示し、（ｃ）に本実施形態のグレーティングレンズを斜視図で示したものである。
【図２】は、（ａ）に、従来の光ピックアップの光学系（光源ユニットとレンズ群）を模式的に示し、（ｂ）に従来のグレーティングレンズを斜視図で示したものである。
【符号の説明】
【００３４】
２、２０    グレーティングレンズ
２ａ、２０ａ    レンズ部
２０ｂ    テーパ面
２ｂ、２０ｃ    調整穴
１０    基台
１０ａ    挿嵌部
３０    カバー部材
３０ａ    調整穴
【図１】
2007042194.tif 000003
【図２】
2007042194.tif 000004